(57)【特許請求の範囲】
【請求項１】
キャップ本体と、該キャップ本体の上方一側にヒンジを介して開閉可能に接続する小蓋と、前記キャップ本体の周壁に付勢状態で上下移動可能で上端を前記小蓋に近接させ外面が小蓋の外周より外側になるように取り付けられたガードボタンとからなる小蓋付キャップであって、
前記小蓋は、前記ヒンジと対向する外周内側位置に嵌合凸部を内側にもつ嵌合部を垂設し、前記キャップ本体は、前記小蓋の嵌合部と対応する周壁一側面に上方が開いたガードボタン収容凹陥部を設け、
該ガードボタン収容凹陥部の左右両側面に対向させてそれぞれガードボタンとの摺動溝を設け、該ガードボタン収容凹陥部にはその背面上端部に嵌合凸部を設けると共にその下方部にバネ受け突起を設け、
前記ガードボタンは、左右両側面に対向させてそれぞれキャップ本体との摺動凸部を設け、該摺動凸部の下方の裏面に上下方向に作用するバネを設けた
ことを特徴とする小蓋付キャップ。
【請求項２】
キャップ本体と、該キャップ本体の上方一側にヒンジを介して開閉可能に接続する小蓋と、前記キャップ本体の周壁に付勢状態で上下移動可能で上端が前記小蓋の外周より外側上方に位置するように取り付けられたガードボタンとからなる小蓋付キャップであって、
前記小蓋は、前記ヒンジと対向する外周内側位置に嵌合凸部を内側にもつ嵌合部を垂設し、前記キャップ本体は、前記小蓋の嵌合部と対応する周壁一側面に上方が開いたガードボタン収容凹陷部を設け、
該ガードボタン収容凹陥部の左右両側面に対向させてそれぞれガードボタンとの摺動溝を設け、該ガードボタン収容凹陥部にはその背面上端部に嵌合凸部を設けると共にその下方部にバネ受け突起を設け、
前記ガードボタンは、左右両側面に対向させてそれぞれキャップ本体との摺動凸部を設け、該摺動凸部の下方の裏面に上下方向に作用するバネを設けたことを特徴とする小蓋付キャップ。
【発明の詳細な説明】
【０００１】
【発明の属する技術分野】
本発明は、粉体や液体の内容物を入れる容器に使用する小蓋付キャップに関するものである。
【０００２】
【従来の技術】
従来、小蓋付キャップは、キャップ本体にヒンジ（蝶番）を介して小蓋が開閉可能に接続しており、小蓋をキャップ本体に冠着してキャップ本体を封止しているが、内容物の不時の漏洩を防ぐために、通常、小蓋をキャップ本体に強く嵌合させていた。特に、携帯を必要とする容器に使用する小蓋付キャップは、さらに強く小蓋をキャップ本体に嵌合させていた。
【０００３】
【発明が解決しようとする課題】
ところが、上述の従来の小蓋付キャップは、容器を開封するために小蓋をキャップ本体から開くときに、小蓋がキャップ本体にしっかりと嵌合しているため、小蓋がキャップ本体から開きにくく、特に、子供やお年寄りには、容器の開封が困難なことがあった。また、小蓋がキャップ本体に前述のようにしっかりと嵌合しているにも拘らず、携帯しているときに、例えばバッグなどの中で、突起物が小蓋に引っ掛かって容器が開封してしまい、内容物がバック内に漏洩してしまうことなどがあった。
【０００４】
本発明は、上述の従来の小蓋付キャップの問題を解決するものであり、容器を封止しているときには、不用意に小蓋が開くことがなく、容器を開封するときには、小蓋をキャップ本体から少ない力で容易に開くことができる小蓋付キャップを提供するものである。
【０００５】
【課題を解決するための手段】
すなわち、本発明の第１の発明は、キャップ本体と、該キャップ本体の上方一側にヒンジを介して開閉可能に接続する小蓋と、前記キャップ本体の周壁に付勢状態で上下移動可能で上端を前記小蓋に近接させ外面が小蓋の外周より外側になるように取り付けられたガードボタンとからなる小蓋付キャップであって、
前記小蓋は、前記ヒンジと対向する外周内側位置に嵌合凸部を内側にもつ嵌合部を垂設し、前記キャップ本体は、前記小蓋の嵌合部と対応する周壁一側面に上方が開いたガードボタン収容凹陥部を設け、
該ガードボタン収容凹陥部の左右両側面に対向させてそれぞれガードボタンとの摺動溝を設け、該ガードボタン収容凹陥部にはその背面上端部に嵌合凸部を設けると共にその下方部にバネ受け突起を設け、
前記ガードボタンは、左右両側面に対向させてそれぞれキャップ本体との摺動凸部を設け、該摺動凸部の下方の裏面に上下方向に作用するバネを設けた
ことを特徴とする小蓋付キャップである。
【０００６】
そして、本発明の第２の発明は、キャップ本体と、該キャップ本体の上方一側にヒンジを介して開閉可能に接続する小蓋と、前記キャップ本体の周壁に付勢状態で上下移動可能で上端が前記小蓋の外周より外側上方に位置するように取り付けられたガードボタンとからなる小蓋付キャップであって、
前記小蓋は、前記ヒンジと対向する外周内側位置に嵌合凸部を内側にもつ嵌合部を垂設し、前記キャップ本体は、前記小蓋の嵌合部と対応する周壁一側面に上方が開いたガードボタン収容凹陷部を設け、
該ガードボタン収容凹陥部の左右両側面に対向させてそれぞれガードボタンとの摺動溝を設け、該ガードボタン収容凹陥部にはその背面上端部に嵌合凸部を設けると共にその下方部にバネ受け突起を設け、
前記ガードボタンは、左右両側面に対向させてそれぞれキャップ本体との摺動凸部を設け、該摺動凸部の下方の裏面に上下方向に作用するバネを設けたことを特徴とする小蓋付キャップである。
【０００７】
【作用】
本発明の小蓋付キャップは、容器の口部に装着され容器を封止しているときは、小蓋がキャップ本体に冠着した状態で、キャップ本体のガードボタン収容凹陥部の背面上端部の嵌合凸部と小蓋の嵌合部の内側の嵌合凸部とが嵌合し、小蓋の嵌合部の外側をキャップ本体のガードボタン収容凹陥部に取り付けられたガードボタンがガードしているため、小蓋がキャップ本体から不用意に開くことがない。
【０００８】
そして、容器を開封するときには、まず、キャップ本体に取り付けられているガードボタンの外面又は上端部に指先を掛けてガードボタンを下方へ押し下げて、小蓋とガードボタンの上端との間に隙間をつくり、次に、この隙間に指先を入れて、小蓋を押し上げて小蓋の嵌合部の内側の嵌合凸部とキャップ本体のガードボタン収容凹陥部の背面上端部の嵌合凸部との嵌合を外し、さらに、小蓋をヒンジを回転軸としてキャップ本体から開くことができる。この開封操作は、ガードボタンを押し下げたときに、ガードボタンの裏面に設けられたバネが、キャップ本体のガードボタン収容凹陥部の下方部に設けられたバネ受け突起により付勢状態になっており、この復元力も加勢して、少ない力で容易に小蓋をキャップ本体から開くことができる。
【０００９】
【発明の実施の形態】
本発明の小蓋付キャップを一実施形態に基づいて、その構成及び小蓋の開閉機構について、次に、図を用いて詳細に説明する。
【００１０】
本発明の一実施形態の小蓋付キャップ（１０）は、図１及び図２に示すように、ボトル（２０）の口頸部（２１）に咬合又は螺合して装着するキャップ本体（１００）と、このキャップ本体に冠着する小蓋（２００）と、キャップ本体に取り付けられるガードボタン（３００）とから構成され、キャップ本体と小蓋とは一体で、ガードボタンは別体でポリプロピレンなどの熱可塑性樹脂を用いて射出成形法により作製するものである。
【００１１】
上述の小蓋（２００）の構造は、図１及び図２に示すように、外周一側をキャップ本体（１００）の上方一側とヒンジ（２１０）を介して開閉可能に接続し、このヒンジと対向する外周内側位置に嵌合凸部（２２１）を内側にもつ嵌合部（２２０）を垂設し、また、内面にはキャップ本体の注出口（１４０）を封止する封止凸部（２３０）を垂設するものである。
【００１２】
また、キャップ本体（１００）は、図１及び図２に示すように、小蓋の嵌合部（２２０）と対応する周壁一側面に上方が開いたガードボタン収容凹陥部（１３０）を設け、このガードボタン収容凹陷部の左右両側面（１３１）に対向させてそれぞれガードボタンとの摺動溝（１３２）を設け、背面（１３３）上端部に嵌合凸部（１３１）を設け、下方部にバネ受け突起（１３５）を設けるものである。
【００１３】
そして、ガードボタン（３００）は、図１及び図２に示すように、左右両側面に対向させてそれぞれキャップ本体との摺動凸部（３０１）を設け、この摺動凸部の下方の裏面に上下方向に作用するバネ（３０３）を設けるものである。なお、本発明の他の一実施形態の小蓋付キャップ（１０）として、図４に示すように、ガードボタン（３００）の上端（３０２）が小蓋（２００）の外周より外側上方に位置するようにガードボタンをキャップ本体（１００）のガードボタン収容凹陥部（１３０）に取り付けてもよい。
【００１４】
次に、本発明の小蓋付キャップの小蓋の開閉機構につい説明する。
図２に示す本発明の小蓋付キャップ（１０）を口頸部（２１）に装着した容器（２０）を開封するときは、まず、図３（ａ）に示すように、キャップ本体（１００）に取り付けられているガードボタン（３００）の外面又は上端部に指先を掛けてガードボタンを下方へ押し下げ（矢印）て、小蓋（２００）とガードボタンの上端（３０２）との間に５〜１０ｍｍ程度の隙間をつくり、次に、図３（ｂ）に示すように、この隙間に指先を入れて、小蓋（２００）を押し上げ（矢印）て小蓋の嵌合部（２２０）の内側の嵌合凸部（２２１）とキャップ本体（１００）のガードボタン収容凹陥部の背面上端部の嵌合凸部（１３４）との嵌合を外し、さらに、図３（ｃ）に示すように、小蓋（２００）をヒンジ（２１０）を回転軸としてキャップ本体（１００）から開く（矢印）ことができ、キャップ本体の注出口（１４０）が開口して容器（２０）が開封する。なお、ガードボタンの裏面のバネ（３０３）は、図３（ａ）に示すように、ガードボタン（３００）を下方へ押し下げたときに、キャップ本体（１００）のガードボタン収容凹陥部（１３０）の下方部に設けられたバネ受け突起（１３５）により付勢状態となり、この付勢状態のバネは、図３（ｂ）に示すように、小蓋（２００）とガードボタン（３００）の上端（３０２）との隙間に指先を入れて小蓋を押し上げときに復元し、この復元する力が指先による押し上げ力に加勢するものである。
【００１５】
そして、容器を封止するときは、小蓋をヒンジを回転軸としてキャップ本体に冠着すると、図２及び図４に示すように、小蓋（２００）の嵌合部（２２０）がキャップ本体（１００）のガードボタン収容凹陥部（１３０）の背面（１３３）とガードボタン（１３０）との間に入り込み、小蓋の嵌合部の内側に設けられた嵌合凸部（２２１）がキャップ本体のガードボタン収容凹陥部の背面上端部の嵌合凸部（１３４）に嵌合し、キャップ本体の天板（１２０）に設けられた注出口（１４０）に小蓋の内面に設けられた封止凸部（２３０）が嵌入して容器が封止するものである。なお、ガードボタンの上端（３０２）は、小蓋に近接するように設けられ、また、ガードボタンの外面は、小蓋の外周より外側になるように作製されている。
【００１６】
【発明の効果】
本発明の小蓋付キャップは、容器の口部に装着され容器を封止しているときは、小蓋がキャップ本体に冠着した状態で小蓋がキャップ本体に嵌合し、この嵌合部分を外側からキャップ本体に取り付けられたガードボタンがガードしているため、小蓋がキャップ本体から不時の外力によって不用意に開くことがない。
【００１７】
また、本発明の小蓋付キャップを容器の口部に装着され容器は、容器を開封するときに、キャップ本体に取り付けられているガードボタンを指先で押し下げ、小蓋とガードボタンとの間隙に指先を入れて小蓋を押し上げればよく、少ない力で容易に小蓋をキャップ本体から開くことができる。
【図面の簡単な説明】
【図１】  本発明の小蓋付キャップの一実施形態の分解斜視図である。
【図２】  ボトルに装着した本発明の小蓋付キャップの一実施形態の構造を示す説明図である。
【図３】  （ａ）乃至（ｃ）は、ボトルに装着した図２に示す本発明の小蓋付キャップの小蓋を開く過程を示す説明図である。
【図４】  ボトルに装着した本発明の小蓋付キャップの他の一実施形態の構造を示す説明図である。
【符号の説明】
１０……小蓋付キャップ
２０……ボトル
２１……口頸部
１００……キャップ本体
１１０……周壁
１２０……天板
１３０……ガードボタン収容凹陥部
１３１……側面
１３２……摺動溝
１３３……背面
１３４，２２１……嵌合凸部
１３５……バネ受け突起
１４０……注出口
２００……小蓋
２１０……ヒンジ
２２０……嵌合部
２３０……封止凸部
３００……ガードボタン
３０１……摺動凸部
３０２……上端
３０３……バネ
【図１】
0003678030.tif 000002
【図２】
0003678030.tif 000003
【図３】
0003678030.tif 000004
【図４】
0003678030.tif 000005